(57)【要約】【課題】足拭きマット自体を替えることなく、広告を差し替えることができ、広告内容の変更要求に適時に対応することができる広告機能付き足拭きマットを提供する。【解決手段】広告機能付き足拭きマット１０Ａは、所定面積を有する足拭きマット本体１１と、所定の広告を表示した広告シート１２を着脱可能に支持する支持プレート１３と、足拭きマット本体１１に連接されて支持プレート１３を設置する設置スペース１４と、支持プレート１３の周縁部１５を設置スペース１４の周縁部１６に着脱可能に固定する固定フレーム１７とから形成されている。支持パネル１３は、第１フィルムと可撓性を有して第１フィルムの上に重なる透明な第２フィルムとから作られている。【選択図】図１
2011147766.tif 000002
【特許請求の範囲】
【請求項１】
所定面積を有する足拭きマット本体と、前記足拭きマット本体の一部に設けられ、所定の宣伝広告を表示した広告シートを着脱可能に取り付ける広告取付手段とを有する広告機能付き足拭きマット。
【請求項２】
前記広告取付手段が、前記広告シートを着脱可能に支持する支持プレートと、前記足拭きマット本体に連接されて前記支持プレートを設置する所定面積の設置スペースと、前記支持プレートの周縁部を前記設置スペースの周縁部に着脱可能に固定する固定フレームとから形成されている請求項１に記載の広告機能付き足拭きマット。
【請求項３】
前記支持プレートが、第１フィルムと、可撓性を有して前記第１フィルムの上に重なる透明な第２フィルムとから作られ、前記広告シートが、それらフィルムの間に挟み込まれた状態で固定される請求項２に記載の広告機能付き足拭きマット。
【請求項４】
前記広告取付手段が、前記足拭きマット本体に連接されて前記広告シートを着脱可能に設置する所定面積の設置マットと、前記広告シートの上に載置されて前記設置マットに着脱可能に設置される透明な支持プレートとから形成され、前記設置マットの周縁部には、前記支持プレートの周縁部の上に重なって該支持プレートを固定する弾性変形可能なフランジが連接され、前記フランジは、所定寸法離間対向する切り込みを設けることで、その一部を前記設置マットの上方へめくり上げることが可能に作られている請求項１に記載の広告機能付き足拭きマット。
【請求項５】
前記広告取付手段が、前記足拭きマット本体に連結手段を介して一端部が分離可能に連結されて前記広告シートを着脱可能に設置する所定面積の設置マットと、前記広告シートの上に載置されて前記設置マットに着脱可能に設置される透明な支持プレートとから形成され、前記設置マットの周縁部には、前記支持プレートの周縁部の上に重なって該支持プレートを固定する弾性変形可能なフランジが連接され、前記フランジは、所定寸法離間対向する切り込みを設けることで、その一部を前記設置マットの上方へめくり上げることが可能に作られている請求項１に記載の広告機能付き足拭きマット。
【請求項６】
前記支持プレートが、前記設置マットに対向する透明なＰＥＴ樹脂シートと、前記ＰＥＴ樹脂シートの前記設置マットに対する非対向面に配置された透明な保護シートとから形成され、前記保護シートが、透明な合成樹脂と前記合成樹脂に練り込まれた透明なセラミック粉末とから作られ、前記ＰＥＴ樹脂シートの非対向面に塗布された透明なＵＶ樹脂をバインダーとして前記非対向面に接合されている請求項４または請求項５に記載の広告機能付き足拭きマット。
【請求項７】
前記広告取付手段が、前記足拭きマット本体に連結手段を介して分離可能に連結される所定面積の設置マットと、前記設置マットの上に着脱可能に設置される所定面積の広告マットとから形成され、前記広告マットが、前記広告シートを着脱可能に載置する可撓性の下部支持プレートと、前記下部支持プレートの上に着脱可能に載置する可撓性の透明な上部支持プレートと、前記上下部支持プレートの周縁部の上に着脱可能に載置されて該上下部支持プレートを固定する可撓性の固定フレームとから形成され、前記広告シートが、前記上下部支持プレートの間に挟まれた状態で固定される請求項１に記載の広告機能付き足拭きマット。
【請求項８】
前記固定フレームが、前記設置マットの周縁部に重なって該設置マットの外側に向かうにつれて下り勾配に傾斜する外周縁部と、前記下部支持プレートの周縁部に第１係合手段を介して着脱可能に係合し、前記設置マットの内側に向かうにつれて下り勾配に傾斜する内周縁部とを有し、前記上部支持プレートの周縁部が、前記下部支持プレートの周縁部と前記固定フレームの内周縁部との間に挟まれた状態で固定される請求項７に記載の広告機能付き足拭きマット。
【請求項９】
前記広告マットでは、前記上部支持プレートの周縁部と前記下部支持プレートの周縁部とのうちの互いに重なり合う部分が第２係合手段を介して着脱可能に係合する請求項８に記載の広告機能付き足拭きマット。
【請求項１０】
前記足拭きマット本体の前記設置マットと連結する端部には、前記設置マットに向かって延びる弾性変形可能なフランジが形成され、前記広告機能付き足拭きマットでは、前記広告マットを前記設置マットの上に載置したときに、前記上下部支持プレートの周縁部が前記設置マットの端部と前記フランジとの間に挟まれた状態で固定される請求項７ないし請求項９いずれかに記載の広告機能付き足拭きマット。
【請求項１１】
前記上部支持プレートが、前記下部支持プレートに対向する透明なＰＥＴ樹脂シートと、前記ＰＥＴ樹脂シートの前記下部支持プレートに対する非対向面に配置された透明な保護シートとから形成され、前記保護シートが、透明な合成樹脂と前記合成樹脂に練り込まれた透明なセラミック粉末とから作られ、前記ＰＥＴ樹脂シートの非対向面に塗布された透明なＵＶ樹脂をバインダーとして前記非対向面に接合されている請求項７ないし請求項１０いずれかに記載の広告機能付き足拭きマット。
【発明の詳細な説明】
【技術分野】
【０００１】
本発明は、宣伝広告機能を備えた広告機能付き足拭きマットに関する。
【背景技術】
【０００２】
足拭きマットの製造およびレンタルを行う足拭きマット事業者と、足拭きマット事業者との契約によって足拭きマットに広告を掲載する広告主と、足拭きマット事業者との契約によって広告が掲載された各種広告付き足拭きマットの設置場所を提供する場所提供者との関係から構築された広告方法がある（特許文献１参照）。この広告方法は、足拭きマット事業者が広告主からの依頼により、製造およびレンタル契約した足拭きマットに広告を掲載し、その広告付き足拭きマットを場所提供者の提供する設置場所において利用者の多くなる時期に応じて選択的に移動設置し、広告付き足拭きマットの設置期間に応じた対価を足拭きマット事業者が場所提供者に支払う。この広告方法は、広告付き足拭きマットを利用者の多くなる時期に応じて選択的に移動設置するから、広告付き足拭きマットの宣伝効果を向上させることができる。
【先行技術文献】
【特許文献】
【０００３】
【特許文献１】特開２００４−１７０８４６号公報
【発明の概要】
【発明が解決しようとする課題】
【０００４】
前記特許文献１に開示の広告方法は、足拭きマットの足拭き部分の表面に所定の広告を掲載するから、広告の内容を変更する場合、足拭きマット自体を別の広告を掲載したそれと差し替えなければならず、その分の手間と費用とがかかる。この広告方法は、足拭きマットを残したままで広告の差し替えを行うことができないから、広告内容を頻繁に替えることができず、広告内容の変更要求に適時に対応することができない。
【０００５】
本発明の目的は、足拭きマット自体を替えることなく、広告を差し替えることができ、広告内容の変更要求に適時に対応することができる広告機能付き足拭きマットを提供することにある。
【課題を解決するための手段】
【０００６】
前記課題を解決するための本発明にかかる広告機能付き足拭きマットは、所定の面積を有する足拭きマット本体と、足拭きマット本体の一部に設けられ、所定の宣伝広告を表示した広告シートを着脱可能に取り付ける広告取付手段とを有する。
【０００７】
本発明にかかる広告機能付き足拭きマットの一例としては、広告取付手段が、広告シートを着脱可能に支持する支持プレートと、足拭きマット本体に連接されて支持プレートを設置する設置スペースと、支持プレートの周縁部を設置スペースの周縁部に着脱可能に固定する固定フレームとから形成されている。
【０００８】
本発明にかかる広告機能付き足拭きマットの他の一例としては、支持プレートが第１フィルムと可撓性を有して第１フィルムの上に重なる透明な第２フィルムとから作られ、広告シートがそれらフィルムの間に挟み込まれた状態で固定される。
【０００９】
本発明にかかる広告機能付き足拭きマットの他の一例としては、広告取付手段が、足拭きマット本体に連接されて広告シートを着脱可能に設置する所定面積の設置マットと、広告シートの上に載置されて設置マットに着脱可能に設置される透明な支持プレートとから形成され、設置マットの周縁部には、支持プレートの周縁部の上に重なって支持プレートを固定する弾性変形可能なフランジが連接され、フランジは、所定寸法離間対向する切り込みを設けることで、その一部を設置マットの上方へめくり上げることが可能に作られている。
【００１０】
本発明にかかる広告機能付き足拭きマットの他の一例としては、広告取付手段が、足拭きマット本体に連結手段を介して一端部が分離可能に連結されて広告シートを着脱可能に設置する所定面積の設置マットと、広告シートの上に載置されて設置マットに着脱可能に設置される透明な支持プレートとから形成され、設置マットの周縁部には、支持プレートの周縁部の上に重なって支持プレートを固定する弾性変形可能なフランジが連接され、フランジは、所定寸法離間対向する切り込みを設けることで、その一部を設置マットの上方へめくり上げることが可能に作られている。
【００１１】
本発明にかかる広告機能付き足拭きマットの他の一例としては、支持プレートが、設置マットに対向する透明なＰＥＴ樹脂シートと、ＰＥＴ樹脂シートの設置マットに対する非対向面に配置された透明な保護シートとから形成され、保護シートが、透明な合成樹脂と合成樹脂に練り込まれた透明なセラミック粉末とから作られ、ＰＥＴ樹脂シートの非対向面に塗布された透明なＵＶ樹脂をバインダーとして非対向面に接合されている。
【００１２】
本発明にかかる広告機能付き足拭きマットの他の一例としては、広告取付手段が、足拭きマット本体に連結手段を介して分離可能に連結される所定面積の設置マットと、設置マットの上に着脱可能に設置される所定面積の広告マットとから形成され、広告マットが、広告シートを着脱可能に載置する可撓性の下部支持プレートと、下部支持プレートの上に着脱可能に載置する可撓性の透明な上部支持プレートと、上下部支持プレートの周縁部の上に着脱可能に載置されて上下部支持プレートを固定する可撓性の固定フレームとから形成され、広告シートが、上下部支持プレートの間に挟まれた状態で固定される。
【００１３】
本発明にかかる広告機能付き足拭きマットの他の一例としては、固定フレームが、設置マットの周縁部に重なって設置マットの外側に向かうにつれて下り勾配に傾斜する外周縁部と、下部支持プレートの周縁部に第１係合手段を介して着脱可能に係合し、設置マットの内側に向かうにつれて下り勾配に傾斜する内周縁部とを有し、上部支持プレートの周縁部が、下部支持プレートの周縁部と固定フレームの内周縁部との間に挟まれた状態で固定される。
【００１４】
本発明にかかる広告機能付き足拭きマットの他の一例として、広告マットでは、上部支持プレートの周縁部と下部支持プレートの周縁部とのうちの互いに重なり合う部分が第２係合手段を介して着脱可能に係合する。
【００１５】
本発明にかかる広告機能付き足拭きマットの他の一例として、足拭きマット本体の設置マットと連結する端部には、設置マットに向かって延びる弾性変形可能なフランジが形成され、広告機能付き足拭きマットでは、広告マットを設置マットの上に載置したときに、上下部支持プレートの周縁部が設置マットの端部とフランジとの間に挟まれた状態で固定される。
【００１６】
本発明にかかる広告機能付き足拭きマットの他の一例としては、上部支持プレートが、下部支持プレートに対向する透明なＰＥＴ樹脂シートと、ＰＥＴ樹脂シートの下部支持プレートに対する非対向面に配置された透明な保護シートとから形成され、保護シートが、透明な合成樹脂と合成樹脂に練り込まれた透明なセラミック粉末とから作られ、ＰＥＴ樹脂シートの非対向面に塗布された透明なＵＶ樹脂をバインダーとして非対向面に接合されている。
【発明の効果】
【００１７】
本発明にかかる広告機能付き足拭きマットによれば、所定の広告を表示した広告シートを着脱可能に取り付ける広告取付手段が足拭きマット本体の一部に設けられているから、足拭きマット自体を替えることなく、広告シートを差し替えることができ、広告内容の変更要求に即時かつ適時に対応することができる。広告機能付き足拭きマットは、広告内容の変更が生じたとしても、足拭きマット自体を替える必要がないから、その分の手間や費用を省くことができる。広告機能付き足拭きマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００１８】
広告取付手段が広告シートを着脱可能に支持する支持プレートと足拭きマット本体に連接されて支持プレートを設置する設置スペースと支持プレートの周縁部を設置スペースの周縁部に着脱可能に固定する固定フレームとから形成された広告機能付き足拭きマットは、支持プレートを利用して広告シートを自由に差し替えることができるから、足拭きマット自体を替えることなく、広告シートを差し替えることができ、広告内容の変更要求に即時かつ適時に対応することができる。広告機能付き足拭きマットは、固定フレームを介して支持プレートの周縁部が設置スペースの周縁部に着脱可能に固定されるから、支持プレートが足拭きマットから不用意に離脱することはなく、足拭きマット本体と広告シートとの一体性を保持することができる。
【００１９】
支持パネルが第１フィルムと可撓性を有して第１フィルムの上に重なる透明な第２フィルムとから作られ、広告シートがそれらフィルムの間に挟み込まれた状態で固定される広告機能付き足拭きマットは、広告シートが支持プレートのそれらフィルムに挟まれることで、広告シートが支持プレートに確実に固定され、広告シートの不用意なずれ動きを防ぐことができ、足拭きマット本体と広告シートとの一体性を保持することができる。
【００２０】
広告取付手段が足拭きマット本体に連接された設置マットと広告シートの上に載置されて設置マットに着脱可能に設置される透明な支持プレートとから形成され、支持プレートの周縁部の上に重なって支持プレートを固定する弾性変形可能なフランジが設置マットの周縁部に連接され、フランジの一部を設置マットの上方へめくり上げることが可能な広告機能付き足拭きマットは、足拭きマット自体を替えることなく、広告シートを差し替えることができ、広告内容の変更要求に即時かつ適時に対応することができる。広告機能付き足拭きマットは、広告内容の変更が生じたとしても、足拭きマット自体を替える必要がないから、その分の手間や費用を省くことができる。広告機能付き足拭きマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００２１】
広告取付手段が足拭きマット本体に連結手段を介して一端部が分離可能に連結された設置マットと広告シートの上に載置されて設置マットに着脱可能に設置される透明な支持プレートとから形成され、支持プレートの周縁部の上に重なって支持プレートを固定する弾性変形可能なフランジが設置マットの周縁部に連接され、フランジの一部を設置マットの上方へめくり上げることが可能な広告機能付き足拭きマットは、足拭きマット自体を替えることなく、広告シートを差し替えることができ、広告内容の変更要求に即時かつ適時に対応することができる。広告機能付き足拭きマットは、広告内容の変更が生じたとしても、足拭きマット自体を替える必要がないから、その分の手間や費用を省くことができる。広告機能付き足拭きマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。広告機能付き足拭きマットは、足拭きマット本体と設置マットとが分離可能であるから、１つのマットで足拭き機能と宣伝広告機能との両機能を同時に利用することができるとともに、使用によって足拭きマット本体の足拭き機能が低下したとしても、その足拭きマット本体を取り外して新たな足拭きマット本体を設置マットに連結することができるから、足拭き機能が低下した足拭きマット本体のみを交換することで足拭き機能を回復させることができ、常に足拭き機能を有する状態で宣伝広告機能を発揮させることができる。
【００２２】
支持プレートが透明なＰＥＴ樹脂シートと保護シートとから形成され、保護シートが透明な合成樹脂と合成樹脂に練り込まれた透明なセラミック粉末とから作られ、その保護シートがＰＥＴ樹脂シートの非対向面に塗布された透明なＵＶ樹脂をバインダーとして非対向面に接合された広告機能付き足拭きマットは、高い耐衝撃性と優れた強度とを有する保護シートをＰＥＴ樹脂シートに接合することによって支持プレートの強度が向上し、支持プレートが踏みつけられたとしても支持プレートが傷つき難く、支持プレートを長期間にわたって連続的に使用することができる。
【００２３】
広告取付手段が足拭きマット本体に連結手段を介して分離可能に連結される設置マットと設置マットの上に設置される広告マットとから形成され、広告マットが広告シートを着脱可能に載置する可撓性の下部支持プレートと下部支持プレートの上に着脱可能に載置する可撓性の透明な上部支持プレートと上下部支持プレートの周縁部の上に着脱可能に載置される可撓性の固定フレームとから形成された広告機能付き足拭きマットは、足拭きマット本体や設置マットを替えることなく、広告マットにおいて広告シートを差し替えることができるから、広告マットにおいて多種多様な広告を掲載することができ、宣伝広告の変更要求に即時かつ適時に対応することができる。広告機能付き足拭きマットは、宣伝広告の変更が生じたとしても、足拭きマット本体や設置マットを替える必要がないから、その分の手間や費用を省くことができる。広告機能付き足拭きマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝広告効果を最大限に発揮させることができる。広告機能付き足拭きマットは、足拭きマット本体と設置マットとが分離可能であるから、１つのマットで足拭き機能と宣伝広告機能との両機能を同時に利用することができるとともに、使用によって足拭きマット本体の足拭き機能が低下したとしても、その足拭きマット本体を取り外して新たな足拭きマット本体を設置マットに連結することができるから、足拭き機能が低下した足拭きマット本体のみを交換することで足拭き機能を回復させることができ、常に足拭き機能を有する状態で宣伝広告機能を発揮させることができる。
【００２４】
固定フレームが設置マットの外側に向かうにつれて下り勾配に傾斜する外周縁部と設置マットの内側に向かうにつれて下り勾配に傾斜する内周縁部とを有し、上部支持プレートの周縁部が下部支持プレートの周縁部と固定フレームの内周縁部との間に挟まれた状態で固定される広告機能付き足拭きマットは、連結フレームの外周縁部が設置マットの外側に向かうにつれて下り勾配に傾斜し、連結フレームの内周縁部が設置マットの内側に向かうにつれて下り勾配に傾斜しているから、フロアーマット上を通る人のつまずきを防ぐことができる。広告機能付き足拭きマットは、上部支持プレートの周縁部が下部支持プレートの周縁部と固定フレームの内周縁部との間に挟まれた状態で固定されるから、上部支持プレートがずれ動くことはなく、広告シートを上下部支持プレートの間に確実に固定することができ、広告シートの不用意なずれ動きを防ぐことができるとともに、足拭きマット本体と広告シートとの一体性を保持することができる。広告機能付き足拭きマットは、上下部支持プレートの間から広告シートを取り出すことができるから、広告シートを自由に差し替えることができる。
【００２５】
上部支持プレートの周縁部と下部支持プレートの周縁部とのうちの互いに重なり合う部分が第２係合手段を介して着脱可能に係合する広告機能付き足拭きマットは、上下部支持プレートの周縁部の互いに重なり合う部分が係合することで、広告シートを上下部支持プレートの間に確実に固定することができ、広告シートの不用意なずれ動きを防ぐことができるとともに、足拭きマット本体と広告シートとの一体性を保持することができる。広告機能付き足拭きマットは、上下部支持プレートの周縁部の係合を解除することで、広告シートを自由に差し替えることができる。
【００２６】
足拭きマット本体の設置マットと連結する端部に設置マットに向かって延びる弾性変形可能なフランジが形成され、広告マットを設置マットの上に載置したときに、上下部支持プレートの周縁部が設置マットの端部とフランジとの間に挟まれた状態で固定される広告機能付き足拭きマットは、上下部支持プレートがずれ動くことはなく、広告シートを上下部支持プレートの間に確実に固定することができ、広告シートの不用意なずれ動きを防ぐことができるとともに、足拭きマット本体と広告シートとの一体性を保持することができる。
【００２７】
上部支持プレートが透明なＰＥＴ樹脂シートと保護シートとから形成され、保護シートが透明な合成樹脂と合成樹脂に練り込まれた透明なセラミック粉末とから作られ、その保護シートがＰＥＴ樹脂シートの非対向面に塗布された透明なＵＶ樹脂をバインダーとして非対向面に接合された広告機能付き足拭きマットは、高い耐衝撃性と優れた強度とを有する保護シートをＰＥＴ樹脂シートに接合することによって上部支持プレートの強度が向上し、上部支持プレートが踏みつけられたとしても上部支持プレートが傷つき難く、上部支持プレートを長期間にわたって連続的に使用することができる。
【図面の簡単な説明】
【００２８】
【図１】一例として示す広告機能付き足拭きマットの斜視図。
【図２】広告機能付き足拭きマットの分解斜視図。
【図３】一例として示す支持プレートの斜視図。
【図４】図１の４−４線端面図。
【図５】他の一例として示す広告機能付き足拭きマットの斜視図。
【図６】広告機能付き足拭きマットの分解斜視図。
【図７】図５の７−７線端面図。
【図８】他の一例として示す広告機能付き足拭きマットの斜視図。
【図９】広告機能付き足拭きマットの分解斜視図。
【図１０】図５の１０−１０線端面図。
【図１１】他の一例として示す広告機能付き足拭きマットの斜視図。
【図１２】図１１の１２−１２線矢視断面図。
【図１３】図１１の１３−１３線端面図。
【図１４】足拭きマット本体と設置マットと広告マットとを分離した状態で示すそれらマットの斜視図。
【図１５】広告マットの分解斜視図。
【発明を実施するための形態】
【００２９】
広告機能付き足拭きマット１０Ａの一例を示す図１等の添付の図面を参照し、本発明に係る広告機能付き足拭きマットの詳細を説明すると、以下のとおりである。なお、図２は、広告機能付き足拭きマット１０Ａの分解斜視図であり、図３は、一例として示す支持プレート１３の斜視図である。図４は、図１の４−４線端面図である。図１，２では、前後方向を矢印Ａ、横方向を矢印Ｂで示し、厚み方向を矢印Ｃで示す。
【００３０】
この広告機能付き足拭きマット１０Ａ（後記するマット１０Ｂ，１０Ｃ，１０Ｄを含む）は、主にレンタル製品としてレンタル料の支払いにより、店舗や宿泊施設、娯楽施設等の出入口や床等に設置され、店舗や宿泊施設、娯楽施設等を利用する人の履物に付着した汚れを取るとともに、所定の商品や役務の宣伝広告に利用される。
【００３１】
広告機能付き足拭きマット１０Ａは、足拭きマット本体１１と、足拭きマット本体１１に設けられた広告取付手段とから作られている。広告取付手段は、所定の広告を表示した広告シート１２を着脱可能に支持する支持プレート１３と、支持プレート１３を設置する設置スペース１４と、支持プレート１３の周縁部１５を設置スペース１４の周縁部１６に着脱可能に固定する固定フレーム１７とから形成されている。広告シート１２は、紙やプラスチックシートから作られ、図示はしていないが、その少なくとも一面に所定の広告（文字、図形、記号、写真等の広告媒体）が表示されている。
【００３２】
足拭きマット本体１１は、その平面形状が横方向へ長い矩形に成型され、所定面積を有する足拭き部１８と、足拭き部１８の周囲を囲むフレーム部１９とから形成されている。足拭き部１８は、その図示は省略しているが、ゴム系素材から作られたベース部分と、合成樹脂繊維から作られてベース部分に植毛された起毛部分とを有する。起毛部分には、履物の底についた泥汚れや塵埃を起毛部分に付着させる薬剤が塗布されている。フレーム部１９は、ゴム系素材から作られ、その厚み寸法が足拭き部１８のそれよりもわずかに大きい。足拭きマット本体１１の足拭き部１８に人が乗ると、起毛部分に塗布された薬剤によってその人の履物の底についた泥汚れや塵埃が起毛部分に付着する。足拭きマット本体１１は、所定の期間（たとえば、半月や一ヶ月）利用された後、回収され、洗浄工程および薬剤の塗布工程を経て再び利用される。
【００３３】
なお、足拭き部１８においてベース部分と起毛部分とを分離可能にすることもできる。この場合、起毛部分はゴム系素材から作られたゴムシートとそれに植毛された合成樹脂繊維とから作られる。ベース部分と起毛部分との着脱は、メカニカルファスナを利用して行われる。ベース部分と起毛部分とが分離可能である場合、足拭きマット本体１１を所定の期間利用した後、起毛部分をベース部分から分離し、起毛部分のみを回収する。起毛部分は、洗浄工程および薬剤の塗布工程を経た後、メカニカルファスナを介してベース部分に取り付けられ、再び利用される。
【００３４】
支持プレート１３は、図３に示すように、所定面積を有する可撓性の第１フィルム２０と、第１フィルム２０と上に重なる可撓性の第２フィルム２１とから形成されている。第１フィルム２０は、透明な合成樹脂または着色された合成樹脂から作られ、その平面形状が横方向へ長い矩形に成形されている。第１フィルム２０は、前後方向へ延びる両端縁部２２，２３と横方向へ延びる両側縁部２４，２５とを有する。第１フィルム２０の両端縁部２２，２３と一方の側縁部２４とには、粘着剤２６が塗布されている。
【００３５】
第２フィルム２１は、透明な合成樹脂から作られ、第１フィルム２０と同形同大に成形されている。第２フィルム２１は、前後方向へ延びる両端縁部２７，２８と横方向へ延びる両側縁部２９，３０とを有する。第２フィルム２１は、その剛性が第１フィルム２０のそれよりも低い。第１フィルム２０と第２フィルム２１とは、他方の側縁部２５，３０において互いに融着し、側縁部２５，３０において一体となっている。
【００３６】
設置スペース１４は、その平面形状が横方向へ長い矩形に成形され、足拭きマット本体１１の一方のフレーム部１９に連接されている。設置スペース１４は、所定面積を有するプレート載置部３１と、プレート載置部３１の周囲を囲むフレーム部３２とから形成されている。プレート載置部３１は、足拭きマット本体１１のベース部分と同様に、ゴム系素材から作られている。プレート載置部３１は、支持プレート１３と略同形同大の矩形に成形され、支持プレート１３よりもわずかに大きい。
【００３７】
設置スペース１４のフレーム部３２は、足拭きマット本体１１のフレーム部１９と同様に、ゴム系素材から作られている。設置スペース１４のフレーム部３２の上面には、複数のメカニカルファスナ３３（雌ファスナまたは雄ファスナのいずれか一方）が所定間隔で取り付けられている。固定フレーム１７は、その平面形状がコ字状に成形され、足拭きマット本体１１のフレーム部１９と同様に、ゴム系素材から作られている。固定フレーム１１の下面には、複数メカニカルファスナ３４（雌ファスナまたは雄ファスナのいずれか他方）が所定間隔で取り付けられている。
【００３８】
以下、この広告機能付き足拭きマット１０Ａの使用手順の一例を説明する。最初に支持プレート１３に広告シート１２を設置する。図３に示すように、第１フィルム２０の縁部２２〜２４に塗布された粘着剤２６の粘着力に抗して第２フィルム２１を捲り上げ、第１フィルム２０と第２フィルム２１との接着を解除し、それらフィルム２０，２１どうしを離間させた後、それらフィルム２０，２１の間に広告シート１２を配置する。次に、第２フィルム２１を第１フィルム２０の上に重ね合わせ、粘着剤２６を介してそれらフィルム２０，２１の縁部２２〜２４どうしを接着する。広告シート１２は、それらフィルム２０，２１の間に挟み込まれた状態で支持される。広告シート１２の広告を表示した面を透明な第２フィルム２１に対向させることで、第２フィルム２１を通して広告シート１２に表示された広告を視認することができる。
【００３９】
支持プレート１３に広告シート１２を設置した後、支持プレート１３を設置スペース１４のプレート載置部３１の上に乗せ、支持プレート１３をプレート載置部３１に嵌め込む。このとき、支持プレート１３の一方の縁部１５（第１および第２フィルム２０，２１の側縁部２５，３０）を足拭きマット本体１１のフレーム部１９の下に潜り込ませる。次に、固定フレーム１７を設置スペース１４のフレーム部３２の上に乗せ、固定フレーム１７を厚み方向下方へ押圧する。固定フレーム１７をフレーム部３２に乗せた状態で、固定フレーム１７を押圧すると、フレーム部３２に取り付けられたメカニカルファスナ３３と固定フレーム１７に取り付けられたメカニカルファスナ３４とが係合する。
【００４０】
フレーム部３２と固定フレーム１７とがファスナ３３，３４を介して係合すると、図４に示すように、支持プレート１３は、その周縁部１５が固定フレーム１７と設置スペース１４の周縁部１６とに挟まれた状態で設置スペース１４に固定される。広告シート１２を配置した支持プレート１３を設置スペース１４に固定した後、広告機能付き足拭きマット１０Ａを店舗や宿泊施設、娯楽施設等の出入口や床等に置く。店舗や宿泊施設、娯楽施設等を利用する人が広告機能付き足拭きマット１０Ａの上（足拭きマット本体１１および支持プレート１３の上）を通過するときに、広告シート１２の広告が第２フィルムを透過して目に入り、その広告の内容を認識する。人が足拭きマット本体１１の上を通過するときに、足拭き部１８が靴裏についた水分を吸収し、靴裏の塵埃や泥汚れを取り去る。また、足拭き部１８が足裏の水分を吸収し、足裏の塵埃や汚れを取り去る。
【００４１】
広告内容の変更が生じ、広告シート１２を差し替える場合、フレーム部３２のメカニカルファスナ３３と固定フレーム１７のメカニカルファスナ３４との係合を解除した後、粘着力に抗して第２フィルム２１を捲り上げ、第１フィルム２０と第２フィルム２１とを離間させ、それらフィルム２０，２１の間から差し替え前の広告シート１２を取り出し、あらたな広告シート１２をそれらフィルム２０，２１の間に配置し、広告シート１２の差し替えを行う。次に、第２フィルム２１を第１フィルム２０の上に重ね合わせ、粘着剤２６を介してそれらフィルム２０，２１の縁部２２〜２４どうしを固定し、固定フレーム１７を設置スペース１４のフレーム部３２の上に乗せ、フレーム部３２のファスナ３３と固定フレーム１７のファスナ３４とを係合させる。
【００４２】
広告機能付き足拭きマット１０Ａは、広告シート１２を着脱可能に支持する支持プレート１３と足拭きマット本体１１に連接されて支持プレート１３を設置する設置スペース１４と支持プレート１３の周縁部１５を設置スペース１４の周縁部１６に着脱可能に固定する固定フレーム１７とを備え、支持プレート１３が第１フィルム２０と可撓性を有して第１フィルム２０の上に重なる透明な第２フィルム２１とから作られ、広告シート１２がそれらフィルム２０，２１の間に挟み込まれた状態で支持されるから、足拭きマット１０Ａ自体を替えることなく、支持プレート１３を利用して各種の広告シート１２を自由に差し替えることができ、広告内容の変更要求に適時に対応することができる。
【００４３】
広告機能付き足拭きマット１０Ａは、広告内容の変更が生じたとしても、足拭きマット１０Ａ自体を替える必要がないから、その分の手間や費用を省くことができる。広告機能付き足拭きマット１０Ａは、各種の広告シート１２を配置した状態で、それを自由に移動させることができるから、必要な場所において宣伝広告を行うことができ、さらに、必要に応じて広告シート１２をその場で自由に差し替えることができるから、宣伝場所や宣伝目的に合致した最適な広告を行うことができ、宣伝効果を最大限に発揮させることができる。
【００４４】
広告機能付き足拭きマット１０Ａは、固定フレーム１７を介して支持プレート１３の周縁部１５が設置スペース１４の周縁部１６に着脱可能に固定されるから、支持プレート１３が足拭きマット１０Ａから不用意に離脱することはなく、足拭きマット本体１１と支持プレート１３との一体性を保持することができる。また、広告シート１２が支持プレート１３のそれらフィルム２０，２１に挟まれることで、広告シート１２が支持プレート１３に確実に支持され、足拭きマット本体１１と広告シート１２との一体性を確実に維持することができる。
【００４５】
図５は、他の一例として示す広告機能付き足拭きマット１０Ｂの斜視図であり、図６は、広告機能付き足拭きマット１０Ｂの分解斜視図である。図７は、図５の７−７線端面図である。図５では、前後方向を矢印Ａ、横方向を矢印Ｂで示し、厚み方向を矢印Ｃで示す。
【００４６】
この足拭きマット１０Ｂは、足拭き機能を有する足拭きマット本体４０と、足拭きマット本体４０に設けられた広告取付手段とから作られている。広告取付手段は、足拭きマット本体４０に連接されて広告シート４１を着脱可能に設置する所定面積の設置マット４２と、広告シート４１の上に載置されて設置マット４２に着脱可能に設置される透明な支持プレート４３とから形成されている。広告シート４１は、紙やプラスチックシートから作られ、図示はしていないが、その少なくとも一面に所定の広告（文字、図形、記号、写真等の広告媒体）が表示されている。
【００４７】
足拭きマット本体４０は、図５に示すように、所定面積を有し、その平面形状が横方向へ長い矩形に成型されている。足拭きマット本体４０は、ラバー部４４と、ラバー部４４の上に形成されたパイル部４５とから作られている。ラバー部４４は、その平面形状が横方向へ長い矩形に成型され、前後方向へ延びる両端縁部４６，４７（周縁部）と、横方向へ延びる両側縁部４８，４９（周縁部）とを有する。ラバー部４４は、ゴム系素材から作られ、可撓性かつ弾力性を有し、弾性変形可能である。
【００４８】
パイル部４５は、ラバー部４４の両端縁部４６，４７および両側縁部４８，４９を除く残余の領域に形成されている。パイル部４５は、図示はしていないが、給水繊維とフィラメント（ナイロンモノフィラメント、レーヨンモノフィラメント、アクリルモノフィラメント、ポリエステルモノフィラメント等）との着色されたコンビネーションパイルであり、油系吸着剤加工が施され、抗菌剤が錬り込まれている。パイル部４５は、吸水性や保水性、吸着性、抗菌性に優れ、履物の靴裏の水分を吸収し、靴裏の塵埃や泥汚れを取り去る。また、素足の足裏の水分を吸収し、足裏の塵埃や汚れを取り去る。なお、足拭きマット本体４０の平面形状を図示の矩形に限定するものではなく、他のあらゆる形状に成型することができる。また、パイル部４５はコンビネーションパイルのみならず、現在販売やレンタルされている足拭きマットのパイルとして利用されている他のあらゆる形態を採用することができる。
【００４９】
設置マット４２は、図６に示すように、所定面積を有し、足拭きマット本体４０のラバー部４４と同一のゴム系素材から作られ、可撓性かつ弾力性を有し、弾性変形可能である。設置マット４２は、その平面形状が横方向へ長い矩形に成型され、前後方向へ延びる両端縁部５０，５１（周縁部）と、横方向へ延びる両側縁部５２，５３（周縁部）とを有する。なお、設置マット４２の平面形状を図示の矩形に限定するものではなく、他のあらゆる形状に成型することができる。
【００５０】
設置マット４２の両端縁部５０，５１と両側縁部５２，５３とには、マット４２の径方向内方へ延びるフランジ５４が連接されている。フランジ５４は、設置マット４２と同一のゴム系素材から作られ、可撓性かつ弾力性を有し、弾性変形可能である。フランジ５４は、それら縁部５０〜５３の上に形成され、それら縁部５０〜５３に連結された連結部５５と、連結部５５からマット４２の径方向内方へ延びる自由部５６とを有する。設置マット４２のそれら端縁部５０，５１とフランジ５４の自由部５６との間には、マット４２の径方向内方へ開口するポケット５７が形成され、マット４２のそれら側縁部５２，５３とフランジ５４の自由部５６との間には、マット４２の径方向内方へ開口するポケット５７が形成されている。
【００５１】
設置マット４２の端縁部５０に連接されたフランジ５４の自由部５６には、マット４２の径方向外方へ向かって延びる一対の切り込み５８が作られている。それら切り込み５８は、横方向へ所定寸法離間対向し、自由部５６を切断して自由部５６の先端から連結部５５まで延びている。フランジ５４の自由部５６に切り込み５８を作ることで、図６に示すように、設置マット４２の端縁部５０に連接されたフランジ５４の自由部５６（フランジ５４の一部）を設置マット４２の上方へめくり上げることができる。
【００５２】
支持プレート４３は、その平面形状が横方向へ長い矩形に成型され、その大きさが設置マット４２のそれよりもわずかに小さい。支持プレート４３は、前後方向へ延びる両端縁部５９，６０（周縁部）と、横方向へ延びる両側縁部６１，６２（周縁部）とを有する。支持プレート４３は、図示はしていないが、設置マット４２に対向する透明なＰＥＴ樹脂シートと、ＰＥＴ樹脂シートの上面に配置された透明な保護シートとから作られ、可撓性かつ弾力性を有する。ＰＥＴ樹脂シートは、設置マット４２に対向する下面と、設置マット４２に非対向の上面（非対向面）とを有する。保護シートは、透明な合成樹脂と、その合成樹脂に練り込まれた透明なセラミック粉末とから作られている。保護シートは、ＰＥＴ樹脂シートの上面に塗布された透明なＵＶ樹脂をバインダーとしてＰＥＴ樹脂シートの上面に接合されている。
【００５３】
支持プレート４３を形成する保護シートは、それが合成樹脂とその合成樹脂に練り込まれたセラミック粉末とから作られることで、高い耐衝撃性を備え、優れた強度を有する。ゆえに、ＵＶ樹脂をバインダーとしてＰＥＴ樹脂シートに保護シートを接合することによって支持プレート４３の強度が向上し、支持プレート４３が踏みつけられたとしても支持プレート４３が傷つき難く、支持プレート４３を長期間にわたって連続的に使用することができる。
【００５４】
以下、この広告機能付き足拭きマット１０Ｂの使用手順の一例を説明する。なお、使用手順の説明では、支持プレート４３が設置マット４２から取り外されているものとする。図６に示すように、最初に、設置マット４２に広告シート４１を設置した後、設置マット４２の端縁部５０に連接されたフランジ５４の自由部５６（切り込み５８の間に延びる自由部５６）の弾性力に抗して自由部５６をマット４２の上方へめくり上げ、自由部５６を弾性変形させる。
【００５５】
次に、設置マット４２の端縁部５０とフランジ５４の自由部５６との間に形成されたポケット５７に支持プレート４３の端縁部５９を挿入し、マット４２の端縁部５１とフランジ５４の自由部５６との間に形成されたポケット５７に支持プレート４３の端縁部６０を挿入するとともに、マット４２の側縁部５２とフランジ５４の自由部５６との間に形成されたポケット５７に支持プレート４３の側縁部６１を挿入し、マット４２の側縁部５３に支持プレート４３の側縁部６２を位置させる。
【００５６】
フランジ５４の自由部５６に加えた力を解除すると、マット４２の上方へめくり上げたフランジ５４の自由部５６がその弾性力によって設置マット４２の端縁部５０に当接し、マット４２の側縁部５３とフランジ５４の自由部５６との間のポケット５７に支持プレート４３の側縁部６２が固定される。自由部５６が設置マット４２の端縁部５０に当接することで、支持プレート４３の両端縁部５９，６０と両側縁部６１，６２とがポケット５７に固定される。広告シート４１は、設置マット４２と支持プレート４３との間に挟み込まれた状態で支持される。広告シート４１の広告を表示した面を透明な支持プレート４３に対向させることで、支持プレート４３を通して広告シート４１に表示された広告を視認することができる。
【００５７】
広告シート４１を設置した足拭きマット１０Ｂを店舗や宿泊施設、娯楽施設、生産施設、受付フロアー等の出入口や床等に置く。店舗や宿泊施設、娯楽施設、生産施設、受付フロアー等を利用する人が足拭きマット１０Ｂの上（足拭きマット本体４０および支持プレート４３の上）を通過するときに、広告シート４１の宣伝広告が支持プレート４３を透過して目に入り、その宣伝広告の内容を認識する。人が足拭きマット本体４０の上を通過するときに、パイル部４５が靴裏についた水分を吸収し、靴裏の塵埃や泥汚れを取り去る。また、パイル部４５が足裏の水分を吸収し、足裏の塵埃や汚れを取り去る。
【００５８】
広告機能付き足拭きマット１０Ｂは、足拭きマット１０Ｂ自体を替えることなく、広告シート４１を差し替えることができ、広告内容の変更要求に即時かつ適時に対応することができる。広告機能付き足拭きマット１０Ｂは、広告内容の変更が生じたとしても、足拭きマット１０Ｂ自体を替える必要がないから、その分の手間や費用を省くことができる。広告機能付き足拭きマット１０Ｂは、各種の広告シート４１を配置した状態で、それを自由に移動させることができるから、必要な場所において宣伝広告を行うことができ、さらに、必要に応じて広告シート４１を自由に差し替えることができるから、宣伝場所や宣伝目的に合致した最適な広告を行うことができ、宣伝効果を最大限に発揮させることができる。
【００５９】
広告機能付き足拭きマット１０Ｂは、フランジ５４を介して支持プレート４３の縁部５９〜６２が設置マット４２の縁部５０，５１，５２，５３に着脱可能に固定されるから、支持プレート４３が足拭きマット１０Ｂから不用意に離脱することはなく、足拭きマット本体４０と支持プレート４３との一体性を保持することができる。また、広告シート４１が設置マット４２と支持プレート４３とに挟まれることで、広告シート４１が設置マット４２に確実に支持され、足拭きマット本体４０と広告シート４１との一体性を確実に維持することができる。
【００６０】
図８は、他の一例として示す広告機能付き足拭きマット１０Ｃの斜視図であり、図９は、広告機能付き足拭きマット１０Ｃの分解斜視図である。図１０は、図８の１０−１０線端面図である。図８では、前後方向を矢印Ａ、横方向を矢印Ｂで示し、厚み方向を矢印Ｃで示す。
【００６１】
この足拭きマット１０Ｃは、足拭き機能を有する足拭きマット本体４０と、足拭きマット本体４０に設けられた広告取付手段とから作られている。広告取付手段は、広告シート４１を着脱可能に設置する所定面積の設置マット４２と、広告シート４１の上に載置されて設置マット４２に着脱可能に設置される透明な支持プレート４３とから形成されている。広告シート４１は、紙やプラスチックシートから作られ、図示はしていないが、その少なくとも一面に所定の広告（文字、図形、記号、写真等の広告媒体）が表示されている。
【００６２】
足拭きマット本体４０は、図８に示すように、所定面積を有し、その平面形状が横方向へ長い矩形に成型されている。足拭きマット本体４０は、ラバー部４４と、ラバー部４４の上に形成されたパイル部４５とから作られている。ラバー部４４は、その平面形状が横方向へ長い矩形に成型され、前後方向へ延びる両端縁部４６，４７（周縁部）と、横方向へ延びる両側縁部４８，４９（周縁部）とを有する。ラバー部４４は、ゴム系素材から作られ、可撓性かつ弾力性を有し、弾性変形可能である。足拭きマット本体４０の側縁部４８には、メカニカルファスナ６３（雄ファスナと雌ファスナとのいずれか一方）が取り付けられている。メカニカルファスナ６３は、ラバー部４４の側縁部４８の上面に位置して横方向へ直上に延びている。
【００６３】
パイル部４５は、ラバー部４４の両端縁部４６，４７および両側縁部４８，４９を除く残余の領域に形成されている。パイル部４５は、図示はしていないが、給水繊維とフィラメント（ナイロンモノフィラメント、レーヨンモノフィラメント、アクリルモノフィラメント、ポリエステルモノフィラメント等）との着色されたコンビネーションパイルであり、油系吸着剤加工が施され、抗菌剤が錬り込まれている。パイル部４５は、吸水性や保水性、吸着性、抗菌性に優れ、履物の靴裏の水分を吸収し、靴裏の塵埃や泥汚れを取り去る。また、素足の足裏の水分を吸収し、足裏の塵埃や汚れを取り去る。
【００６４】
設置マット４２は、図９に示すように、所定面積を有し、足拭きマット本体４０のラバー部４４と同一のゴム系素材から作られ、可撓性かつ弾力性を有し、弾性変形可能である。設置マット４２は、その平面形状が横方向へ長い矩形に成型され、前後方向へ延びる両端縁部５０，５１（周縁部）と、横方向へ延びる両側縁部５２，５３（周縁部）とを有する。
【００６５】
設置マット４２の両端縁部５０，５１と両側縁部５２，５３とには、マット４２の径方向内方へ延びるフランジ５４が連接されている。フランジ５４は、設置マット４２と同一のゴム系素材から作られ、可撓性かつ弾力性を有し、弾性変形可能である。フランジ５４は、それら縁部５０〜５３の上に形成され、それら端縁部５０〜５３に連結された連結部５５と、連結部５５からマット４２の径方向内方へ延びる自由部５６とを有する。設置マット４２のそれら端縁部５０，５１とフランジ５４の自由部５６との間には、マット４２の径方向内方へ開口するポケット５７が形成され、マット４２のそれら側縁部５２，５３とフランジ５４の自由部５６との間には、マット４２の径方向内方へ開口するポケット５７が形成されている。
【００６６】
設置マット４２の端縁部５０に連接されたフランジ５４の自由部５６には、マット４２の径方向外方へ向かって延びる一対の切り込み５８が作られている。それら切り込み５８は、横方向へ所定寸法離間対向し、自由部５６を切断して自由部５６の先端から連結部５５まで延びている。フランジ５４の自由部５６に切り込み５８を作ることで、図６に示すように、設置マット４２の端縁部５０に連接されたフランジ５４の自由部５６（フランジ５４の一部）を設置マット４２の上方へめくり上げることが可能である。
【００６７】
設置マット４２の側縁部５２であってフランジ５４の外側には、メカニカルファスナ６４（雄ファスナと雌ファスナとのいずれか他方）が取り付けられている。メカニカルファスナ６４は、側縁部５２の下面に位置して横方向へ延びている。設置マット４２は、その側縁部５２のメカニカルファスナ６４を足拭きマット本体４０の側縁部４８のメカニカルファスナ６３に係合させることで、足拭きマット本体４０に連結することができる。また、ファスナ６３，６４どうしの係合を解除することで、設置マット４２を足拭きマット本体４０から分離することができる。
【００６８】
支持プレート４３は、その平面形状が横方向へ長い矩形に成型され、その大きさが設置マット４２のそれよりもわずかに小さい。支持プレート４３は、前後方向へ延びる両端縁部５９，６０（周縁部）と、横方向へ延びる両側縁部６１，６２（周縁部）とを有する。支持プレート４３は、図示はしていないが、設置マット４２に対向する透明なＰＥＴ樹脂シートと、ＰＥＴ樹脂シートの上面に配置された透明な保護シートとから作られ、可撓性かつ弾力性を有する。ＰＥＴ樹脂シートは、設置マット４２に対向する下面と、設置マット４２に非対向の上面（非対向面）とを有する。保護シートは、透明な合成樹脂と、その合成樹脂に練り込まれた透明なセラミック粉末とから作られている。保護シートは、ＰＥＴ樹脂シートの上面に塗布された透明なＵＶ樹脂をバインダーとしてＰＥＴ樹脂シートの上面に接合されている。
【００６９】
この広告機能付き足拭きマット１０Ｃの使用手順は、広告機能付き足拭きマット１０Ｂのそれと同一であるから、その説明は省略する。なお、使用手順において足拭きマット１０Ｂのそれと異なるところは、足拭きマット本体４０の足拭き機能が低下した場合、ファスナ６３，６４どうしの係合を解除し、設置マット４２と足拭きマット本体４０とを分離させ、足拭きマット本体４０を交換する点にある。
【００７０】
広告シート４１を設置した足拭きマット１０Ｃを店舗や宿泊施設、娯楽施設、生産施設、受付フロアー等の出入口や床等に置く。店舗や宿泊施設、娯楽施設、生産施設、受付フロアー等を利用する人が足拭きマット１０Ｃの上（足拭きマット本体４０および支持プレート４３の上）を通過するときに、広告シート４１の宣伝広告が支持プレート４３を透過して目に入り、その宣伝広告の内容を認識する。人が足拭きマット本体４０の上を通過するときに、パイル部４５が靴裏についた水分を吸収し、靴裏の塵埃や泥汚れを取り去る。また、パイル部４５が足裏の水分を吸収し、足裏の塵埃や汚れを取り去る。
【００７１】
なお、足拭きマット本体４０を所定期間使用すると、パイル部７４に塗布された油系吸着剤が希薄になり、パイル部７４の足拭き機能が低下する。パイル部７４の足拭き機能が低下した場合、古い足拭きマット本体４０を新たな足拭きマット本体４０に交換する。足拭きマット本体４０の交換は、足拭きマット本体４０のラバー部４４に取り付けられたファスナ６３と設置マット４２に取り付けられたファスナ６４との係合を解除し、古い足拭きマット本体４０と設置マット４２とを分離させた後、新たな足拭きマット本体４０のラバー部４４のファスナ６３と設置マット４２のファスナ６４とを係合させ、新たな足拭きマット本体４０と設置マット４２とを連結する。古い足拭きマット本体４０は、それの再処理を行う業者に回収される。古い足拭きマット本体４０を回収した業者は、回収した足拭きマット本体４０を再処理工場において再処理し、パイル部４４の足拭き機能を回復させる。
【００７２】
広告機能付き足拭きマット１０Ｃは、足拭きマット１０Ｃ自体を替えることなく、広告シート４１を差し替えることができ、広告内容の変更要求に即時かつ適時に対応することができる。広告機能付き足拭きマット１０Ｃは、広告内容の変更が生じたとしても、足拭きマット１０Ｃ自体を替える必要がないから、その分の手間や費用を省くことができる。広告機能付き足拭きマット１０Ｃは、各種の広告シート４１を配置した状態で、それを自由に移動させることができるから、必要な場所において宣伝広告を行うことができ、さらに、必要に応じて広告シート４１を自由に差し替えることができるから、宣伝場所や宣伝目的に合致した最適な広告を行うことができ、宣伝効果を最大限に発揮させることができる。
【００７３】
広告機能付き足拭きマット１０Ｃは、足拭きマット本体４０と設置マット４２とが分離可能であるから、１つのマットで足拭き機能と宣伝広告機能との両機能を同時に利用することができるとともに、使用によって足拭きマット本体４０の足拭き機能が低下したとしても、その足拭きマット本体４０を取り外して新たな足拭きマット本体４０を設置マット４２に連結することができるから、足拭き機能が低下した足拭きマット本体４０のみを交換することで足拭き機能を回復させることができ、常に足拭き機能を有する状態で宣伝広告機能を発揮させることができる。
【００７４】
図１１は、他の一例として示す広告機能付き足拭きマット１０Ｄの斜視図であり、図１２は、図１１の１２−１２線矢視断面図である。図１３は、図１１の１３−１３線端面図であり、図１４は、足拭きマット本体７０と設置マット７１と広告マット７２とを分離した状態で示すそれらマット７０〜７２の斜視図である。図１５は、広告マット７２の分解斜視図である。広告機能付き足拭きマット１０Ｄは、足拭き機能を有する足拭きマット本体７０と、足拭きマット本体７０に設けられた広告取付手段とから作られている。広告取付手段は、足拭きマット本体７０に着脱可能に連結される所定面積の設置マット７１と、設置マット７１の上に着脱可能に載置される広告マット７２とから形成されている。
【００７５】
足拭きマット本体７０は、図１１に示すように、所定面積を有し、その平面形状が横方向へ長い矩形に成型されている。足拭きマット本体７０は、ラバー部７３と、ラバー部７３の上に形成されたパイル部７４とから作られている。ラバー部７３は、その平面形状が横方向へ長い矩形に成型され、前後方向へ延びる両端縁部７５，７６（周縁部）と、横方向へ延びる両側縁部７７，７８（周縁部）とを有する。ラバー部７３は、ゴム系素材から作られ、可撓性かつ弾力性を有し、弾性変形可能である。
【００７６】
足拭きマット本体４０の側縁部７７には、メカニカルファスナ７９（雄ファスナと雌ファスナとのいずれか一方）が取り付けられている。メカニカルファスナ７９は、ラバー部７３の側縁部４８の下面に位置して横方向へ直上に延びている。足拭きマット本体４０の側縁部７７であってファスナ７９の外側には、横方向へ直上に延びるフランジ８０が形成されている。
【００７７】
パイル部７４は、ラバー部７３の両端縁部７５，７６および両側縁部７７，７８を除く残余の領域に形成されている。パイル部７４は、図示はしていないが、給水繊維とフィラメント（ナイロンモノフィラメント、レーヨンモノフィラメント、アクリルモノフィラメント、ポリエステルモノフィラメント等）との着色されたコンビネーションパイルであり、油系吸着剤加工が施され、抗菌剤が錬り込まれている。パイル部７４は、吸水性や保水性、吸着性、抗菌性に優れ、履物の靴裏の水分を吸収し、靴裏の塵埃や泥汚れを取り去る。また、素足の足裏の水分を吸収し、足裏の塵埃や汚れを取り去る。
【００７８】
設置マット７１は、図１４に示すように、所定面積を有し、足拭きマット本体７０のラバー部７３と同一のゴム系素材から作られ、可撓性かつ弾力性を有し、弾性変形可能である。設置マット７１は、その平面形状が横方向へ長い矩形に成型され、前後方向へ延びる両端縁部８１，８２（周縁部）と、横方向へ延びる両側縁部８３，８４（周縁部）とを有する。設置マット７１の側縁部８３には、メカニカルファスナ８５（雄ファスナと雌ファスナとのいずれか一方）が取り付けられている。メカニカルファスナ８５は、側縁部８３の上面に位置して横方向へ直上に延びている。
【００７９】
設置マット７１の両端縁部８１，８２には、上下方向上方へ凸となって前後方向へ直状に延びる凸部８６と、凸部８６につながって設置マット７１の内側へ向かって延びる弾性変形可能なフランジ８７とが形成されている。設置マット７１の他方の側縁部８４には、上下方向上方へ凸となって横方向へ直状に延びる凸部８６と、凸部８６につながって設置マット７１の内側へ向かって延びる弾性変形可能なフランジ８７とが形成されている。設置マット７１の両端縁部８１，８２とフランジ８７との間には、後記する固定フレーム９１の外周縁部１０３を挿脱可能に挿入するポケット８８が形成されている。設置マット７１の側縁部８４とフランジ８７との間には、固定フレーム９１の後記する外周縁部１０３を挿脱可能に挿入するポケット８８が形成されている。
【００８０】
足拭きマット本体７０のラバー部７３の側縁部７７の下面と設置マット７１の側縁部８３の上面とを重ね合わせると、側縁部７７に取り付けられたメカニカルファスナ７９と側縁部８３に取り付けられた雌ファスナ８５とが係合し、足拭きマット本体７０と設置マット７１とを連結することができる。また、ファスナ７９，８５どうしの係合を解除することで、足拭きマット本体７０と設置マット７１とを分離することができる。
【００８１】
広告マット７２は、所定の宣伝広告の掲載に利用され、宣伝広告機能を発揮する。広告マット７２は、図１４に示すように、所定面積を有し、その平面形状が横方向へ長い矩形を呈する。広告マット７２の面積は、設置マット７１のそれよりもわずかに小さい。広告マット７２は、下部支持プレート８９および透明な上部支持プレート９０と、固定フレーム９１とから形成されている。
【００８２】
下部支持プレート８９は、透明または着色されたプラスチックあるいはラバー部７３や設置マット７１と同一のゴム系素材から作られ、可撓性かつ弾力性を有する。下部支持プレート８９は、その平面形状が横方向へ長い矩形に成型され、前後方向へ延びる両端縁部９２，９３（周縁部）と、横方向へ延びる両側縁部９４，９５（周縁部）とを有する。下部支持プレート８９の上には、広告シート９６が着脱可能に載置される。広告シート９６は、横方向へ長い矩形の紙やプラスチックシートから作られ、図示はしていないが、その少なくとも一面に所定の宣伝広告（文字、図形、記号、写真等の広告媒体）が表示されている。
【００８３】
下部支持プレート８９の両端縁部９２，９３には、前後方向へ直状に延びるメカニカルファスナ９７（雄ファスナまたは雌ファスナのいずれか一方）（第１係合手段）が取り付けられ、下部支持プレート８９の側縁部９５には、横方向へ直状に延びるメカニカルファスナ９７（雄ファスナまたは雌ファスナのいずれか一方）（第１係合手段）が取り付けられている。
下部支持プレート８９の両端縁部９２，９３のうちのファスナ９７の内側（下部支持プレート８９の両端縁部９２，９３と上部支持プレート９０の両端縁部９９，１００とのうちの互いに重なり合う部分）には、前後方向へ直状に延びる両面粘着テープ９８（粘着剤）（第２係合手段）が貼着されている。下部支持プレート８９の両側縁部９４，９５のうちのファスナ９７の内側（下部支持プレート８９の両側縁部９４，９５と上部支持プレート９０の両側縁部１０１，１０２とのうちの互いに重なり合う部分）には、横方向へ直状に延びる両面粘着テープ９８（粘着剤）（第２係合手段）が貼着されている（図１５参照）。
【００８４】
上部支持プレート９０は、その平面形状が横方向へ長い矩形に成型され、前後方向へ延びる両端縁部９９，１００（周縁部）と、横方向へ延びる両側縁部１０１，１０２（周縁部）とを有する。上部支持プレート２８の面積は、下部支持プレート８９のそれよりもわずかに小さく、下部支持プレート８９の上に着脱可能に載置される。上部支持プレート９０は、図示はしていないが、下部支持シート８９に対向する透明なＰＥＴ樹脂シートと、ＰＥＴ樹脂シートの上面に配置された透明な保護シートとから作られ、可撓性かつ弾力性を有する。ＰＥＴ樹脂シートは、下部支持シート８９に対向する下面と、下部支持シート８９に非対向の上面（非対向面）とを有する。保護シートは、透明な合成樹脂と、その合成樹脂に練り込まれた透明なセラミック粉末とから作られている。保護シートは、ＰＥＴ樹脂シートの上面に塗布された透明なＵＶ樹脂をバインダーとしてＰＥＴ樹脂シートの上面に接合されている。
【００８５】
上部支持プレート９０を形成する保護シートは、それが合成樹脂とその合成樹脂に練り込まれたセラミック粉末とから作られることで、高い耐衝撃性を備え、優れた強度を有する。ゆえに、ＵＶ樹脂をバインダーとしてＰＥＴ樹脂シートに保護シートを接合することによって上部支持プレート９０の強度が向上し、プレート９０が踏みつけられたとしてもプレート９０が傷つき難く、プレート９０を長期間にわたって連続的に使用することができる。
【００８６】
固定フレーム９１は、上下部支持プレート８９，９０の両端縁部９２，９３，９９，１００の上に着脱可能に載置されるとともに、プレート８９，９０の側縁部９５，１０２の上に着脱可能に載置される。固定フレーム９１は、図１５に示すように、その平面形状が横方向へ長いコ字型に成型されている。固定フレーム９１は、設置マット７１の両端縁部８１，８２の上に重なるとともに側縁部８４の上に重なる外周縁部１０３と、上下部支持プレート８９，９０の両端縁部９２，９３，９９，１００の上に重なるとともに側縁部９５，１０２の上に重なる内周縁部１０４とを有する。
【００８７】
固定フレーム９１の外周縁部１０３は、設置マット７１の外側に向かうにつれて下り勾配に傾斜し、その先端の厚み寸法（上下方向の寸法）が略０である。固定フレーム９１の内周縁部１０４は、設置マット７１の内側に向かうにつれて下り勾配に傾斜し、その先端の厚み寸法（上下方向の寸法）が略０である。固定フレーム９１の内周縁部１０４は、上部支持プレート９０の両端縁部９９，１００に当接するとともに側縁部１０２に当接する当接部分１０５と、当接部分１０５の外側に位置して上下方向下方へ凸となる凸部分１０６と、凸部分１０６の外側に位置して上下方向上方へ凹む凹部分１０７とを有する。固定フレーム９１を上下部支持プレート８９，９０に載置すると、凸部分１０６と凹部分１０７とがプレート８９の両端縁部９２，９３および側縁部９５に対向する。
【００８８】
下部支持プレート８９の両端縁部９２，９３と並行して前後方向へ延びる凹部分１０７には、前後方向へ直状に延びるメカニカルファスナ１０７（雄ファスナまたは雌ファスナのいずれか他方）（第１係合手段）が取り付けられている。下部支持プレート８９の側縁部９５に並行して横方向へ延びる凹部分１０７には、横方向へ直状に延びるメカニカルファスナ１０８（雄ファスナまたは雌ファスナのいずれか他方）（第１係合手段）が取り付けられている。
【００８９】
以下、この広告機能付き足拭きマット１０Ｄの使用手順の一例を説明する。最初に上部支持プレート９０と下部支持プレート８９との間に広告シート９６を設置する。図１４に示すように、広告マット７２を設置マット７１の上から取り外す。広告マット７２を設置マット７１から取り外すには、足拭きマット本体７０のフランジ８０を上下方向上方へめくり上げ、固定フレーム９１の外周縁部１０３をポケット８８の外に出す。広告マット７２を設置マット７１から取り外した後、固定フレーム９１を上下部支持プレート８９，９０から離間させる方向へ引っ張り、下部支持プレート８９に取り付けられたファスナ９７と固定フレーム９１の凹部１０７に取り付けられたファスナ１０８との係合を解除し、図１５に示すように、上下部支持プレート８９，９０と固定フレーム９１とを分離する。
【００９０】
上下部支持プレート８９，９０と固定フレーム９１とを分離した後、上部支持プレート９０を下部支持プレート８９から離間させる方向へ引っ張り、プレート８９に貼着された粘着テープ９８の粘着力に抗してプレート８９とプレート９０との係合を解除し、プレート８９とプレート９０と分離させる。上部支持プレート９０と下部支持プレート８９と分離させた後、プレート８９の上に広告シート９６を載置する。下部支持プレート８９に広告シート９６を載置した後、プレート８９の上に上部支持プレート９０を載置し、粘着テープ９８を介してプレート８９とプレート９０とを再び係合させる。
【００９１】
広告シート９６は、上部支持プレート９０と下部支持プレート８９との間に挟まれた状態でそれらプレート８９，９０に固定される。広告シート９６の宣伝広告を表示した面を透明な上部支持プレート９０に対向させることで、プレート９０を通してシート９６に表示された宣伝広告を視認することができる。
【００９２】
次に、上下部支持プレート８９，９０の両端縁部９２，９３，９９，１００および側縁部９５，１０２の上に固定フレーム９１を載置し、フレーム９１の凹部分１０７に取り付けられたファスナ１０８とプレート８９の両端縁部９２，９３および側縁部９５に取り付けられた雄ファスナ９７とを再び係合させ、フレーム９１とプレート８９，９０とを連結させて広告マット７２を組み立てる。固定フレーム９１と上下部支持プレート８９，９０とを連結すると、上部支持プレート９０の両端縁部９９，１００および側縁部１０２が下部支持プレート８９の両端縁部９２，９３および側縁部９５とフレーム９１の内周縁部１０４との間に挟み込まれた状態で固定される。
【００９３】
固定フレーム９１と上下部支持プレート８９，９０とを連結させて広告マット７２を組み立てた後、その広告マット７２を設置マット７１の上に載置する。広告マット７２を設置マット７１の上に載置する場合、足拭きマット本体７０のフランジ８０を上下方向上方へめくり上げ、固定フレーム９１の外周縁部１０３を設置マット７１のポケット８８の中に入れる。広告マット７２を設置マット７１の上に載置すると、固定フレーム９１の外周縁部１０３が設置マット７１の両端縁部８１，８２および側縁部８４の上に重なり、固定フレーム９１の内周縁部１０４が上下部支持プレート８９，９０の両端縁部９２，９３，９９，１００および側縁部９５，１０２の上に重なる。固定フレーム９１の外周縁部１０３がポケット８８に進入し、外周縁部１０３が設置マット７１の両端縁部８１，８２とフランジ８７との間に挟まれた状態で固定され、外周縁部１０３が設置マット７１の側縁部７８とフランジ８７との間に挟まれた状態で固定される。
【００９４】
広告シート９６を設置した広告マット７２を設置マット７１に載置した後、この足拭きマット１０Ｄを店舗や宿泊施設、娯楽施設、生産施設、受付フロアー等の出入口や床等に置く。店舗や宿泊施設、娯楽施設、生産施設、受付フロアー等を利用する人が足拭きマット１０Ｄの上（足拭きマット本体７０および広告マット７２の上）を通過するときに、広告シート９６の宣伝広告が上部支持プレート９０を透過して目に入り、その宣伝広告の内容を認識する。人が足拭きマット本体７０の上を通過するときに、パイル部７４が靴裏についた水分を吸収し、靴裏の塵埃や泥汚れを取り去る。また、パイル部７４が足裏の水分を吸収し、足裏の塵埃や汚れを取り去る。
【００９５】
なお、足拭きマット本体７０を所定期間使用すると、パイル部７４に塗布された油系吸着剤が希薄になり、パイル部７４の足拭き機能が低下する。パイル部７４の足拭き機能が低下した場合、古い足拭きマット本体７０を新たな足拭きマット本体７０に交換する。足拭きマット本体７０の交換は、足拭きマット本体７０のラバー部７３に取り付けられたファスナ７９と設置マット７１に取り付けられたファスナ８５との係合を解除し、古い足拭きマット本体７０と設置マット７１とを分離させた後、新たな足拭きマット本体７０のラバー部７３のファスナ７９と設置マット７１のファスナ８５とを係合させ、新たな足拭きマット本体７０と設置マット７１とを連結する。古い足拭きマット本体７０は、それの再処理を行う業者に回収される。古い足拭きマット本体７０を回収した業者は、回収した足拭きマット本体７０を再処理工場において再処理し、パイル部７４の足拭き機能を回復させる。
【００９６】
宣伝広告の変更が必要となり、広告シート９６を差し替える場合、固定フレーム９１の外周縁部１０３をポケット８８の外に出して広告マット７２を設置マット７１の上から取り外し、ファスナ９７，１０８の係合を解除し、上下部支持プレート８９，９０と固定フレーム９１とを分離する。粘着テープ９８の粘着力に抗して上部支持プレート９０と下部支持プレート８９との係合を解除し、プレート８９とプレート９０と分離した後、下部支持プレート８９の上に新たな広告シート９６を載置し、粘着テープ９８を介してそれらプレート８９，９０を再び係合させる。次に、上下部支持プレート８９，９０の両端縁部９２，９３，９９，１００および側縁部９５，１０２の上に固定プレート９１を載置し、ファスナ９７，１０８を係合させて固定フレーム９１と上下部支持プレート８９，９０とを連結させて広告マット７２を組み立てた後、固定フレーム９１の外周縁部１０３をポケット８８の中に入れ、その広告マット７２を設置マット７１の上に載置する。
【００９７】
広告機能付き足拭きマット１０Ｄは、足拭きマット本体７０や設置マット７１を替えることなく、広告マット７２において広告シート９６を差し替えることができるから、広告マット７２において多種多様な広告を掲載することができ、宣伝広告の変更要求に即時かつ適時に対応することができる。広告機能付き足拭きマット１０Ｄは、宣伝広告の変更が生じたとしても、足拭きマット本体７０や設置マット７１を替える必要がないから、その分の手間や費用を省くことができる。広告機能付き足拭きマット１０Ｄは、各種の広告シート９６を配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝広告効果を最大限に発揮させることができる。
【００９８】
広告機能付き足拭きマット１０Ｄは、足拭きマット本体７０と設置マット７１とが分離可能であるから、１つのマット１０Ｄで足拭き機能と宣伝広告機能との両機能を同時に利用することができるとともに、使用によって足拭きマット本体７０の足拭き機能が低下したとしても、その足拭きマット本体７０を取り外して新たな足拭きマット本体７０を設置マット７１に連結することができるから、足拭き機能が低下した足拭きマット本体７０のみを交換することで足拭き機能を回復させることができ、常に足拭き機能を有する状態で宣伝広告機能を発揮させることができる。
【符号の説明】
【００９９】
１０Ａ  広告機能付き足拭きマット
１０Ｂ  広告機能付き足拭きマット
１０Ｃ  広告機能付き足拭きマット
１０Ｄ  広告機能付き足拭きマット
１１    足拭きマット本体
１２    広告シート
１３    支持プレート
１４    設置スペース
１５    周縁部
１６    周縁部
１７    固定フレーム
１８    足拭き部
１９    フレーム部
２０    第１フィルム
２１    第２フィルム
３１    プレート載置部
３２    フレーム部
３３    メカニカルファスナ
３４    メカニカルファスナ
４０    足拭きマット本体
４１    広告シート
４２    設置マット
４３    支持プレート
４４    ラバー部
４５    パイル部
４６    両端縁部（周縁部）
４７    両端縁部（周縁部）
４８    両側縁部（周縁部）
４９    両側縁部（周縁部）
５０    両端縁部（周縁部）
５１    両端縁部（周縁部）
５２    両側縁部（周縁部）
５３    両側縁部（周縁部）
５４    フランジ
５５    連結部
５６    自由部
５７    ポケット
５８    切り込み
５９    両端縁部（周縁部）
６０    両端縁部（周縁部）
６１    両側縁部（周縁部）
６２    両側縁部（周縁部）
６３    メカニカルファスナ（連結手段）
６４    メカニカルファスナ（連結手段）
７０    足拭きマット本体
７１    設置マット
７２    広告マット
７３    ラバー部
７４    パイル部
７５    端縁部（周縁部）
７６    端縁部（周縁部）
７７    側縁部（周縁部）
７８    側縁部（周縁部）
７９    メカニカルファスナ
８０    フランジ
８１    端縁部（周縁部）
８２    端縁部（周縁部）
８３    側縁部（周縁部）
８４    側縁部（周縁部）
８５    メカニカルファスナ
８８    ポケット
８９    下部支持プレート
９０    上部支持プレート
９１    固定フレーム
９２    端縁部（周縁部）
９３    端縁部（周縁部）
９４    側縁部（周縁部）
９５    側縁部（周縁部）
９６    広告シート
９７    メカニカルファスナ（第１係合手段）
９８    両面粘着テープ（第２係合手段）
９９    端縁部（周縁部）
１００  端縁部（周縁部）
１０１  側縁部（周縁部）
１０２  側縁部（周縁部）
１０３  外周縁部
１０４  内周縁部
１０５  当接部分
１０６  凸部分
１０７  凹部分
【図１】
2011147766.tif 000003
【図２】
2011147766.tif 000004
【図３】
2011147766.tif 000005
【図４】
2011147766.tif 000006
【図５】
2011147766.tif 000007
【図６】
2011147766.tif 000008
【図７】
2011147766.tif 000009
【図８】
2011147766.tif 000010
【図９】
2011147766.tif 000011
【図１０】
2011147766.tif 000012
【図１１】
2011147766.tif 000013
【図１２】
2011147766.tif 000014
【図１３】
2011147766.tif 000015
【図１４】
2011147766.tif 000016
【図１５】
2011147766.tif 000017